【事件の表示】
　特許第３０５０１１９号「通信装置」の請求項１に係る特許に対する特許異議の申立てについて、次のとおり決定する。
【結　論】
　訂正を認める。
　特許第３０５０１１９号の請求項１に係る特許を取り消す。
【理　由】
１．手続の経緯
　本件特許第３０５０１１９号の請求項１乃至５に係る発明についての出願は、平成８年３月１２日に特許出願され、平成１２年３月３１日にそれら発明について特許の設定登録がなされ、その後、請求項１に係る発明の特許について異議申立人深田富士子より特許異議の申立てがなされ、取消理由通知がなされ、その指定期間内である平成１３年４月２５日に訂正請求がなされたものである。
　
２．訂正の適否
（１）訂正の内容
　特許権者が求めている訂正の内容は、次のとおりである。
　訂正事項ａ
　特許請求の範囲における請求項１の記載を次のとおりに訂正する。
「【請求項１】
　送信原稿を読み取って得られた画像情報を記憶手段に記憶させてから送信するという、いわゆるメモリ送信モードを備えた通信装置であって、
　前記メモリ送信モード時に、送信原稿の読み取り開始から画像情報の送信までの間に他の通信装置からの発呼により通信回線を介して呼出信号が入力されれば、前記送信原稿の読み取り動作を中断させて、画像情報の送信を行う前に前記他の通信装置からの送信信号を受信することを特徴とする通信装置。」
　訂正事項ｂ
　明細書の段落【０００７】における記載を次のとおりに訂正する。
「【課題を解決するための手段】
　上記目的を達成するため、請求項１に記載した発明の通信装置は、送信原稿を読み取って得られた画像情報を記憶手段に記憶させてから送信するという、いわゆるメモリ送信モードを備えた通信装置であって、メモリ送信モード時に、送信原稿の読み取り開始から画像情報の送信までの間に他の通信装置からの発呼により通信回線を介して呼出信号が入力されれば、前記送信原稿の読み取り動作を中断させて、画像情報の送信を行う前に他の通信装置からの送信信号を受信するものである。」
（２）訂正の目的の適否、新規事項の有無及び拡張・変更の存否
　上記訂正事項ａは、特許請求の範囲の減縮を目的とした明細書の訂正に該当し、また、上記訂正事項ｂは、訂正事項ａに伴うものであって、明りょうでない記載の釈明を目的とした明細書の訂正に該当し、いずれも、新規事項の追加に該当せず、実質上特許請求の範囲を拡張し、又は変更するものでもない。
（３）むすび
　したがって、上記訂正は、特許法第１２０条の４第２項及び同条第３項において準用する特許法第１２６条第２項から第４項までの規定に適合するので、当該訂正を認める。
　
３．本件請求項１に係る発明
　本件請求項１に係る発明は、訂正明細書の特許請求の範囲の請求項１に記載された事項により特定されるとおりのものである（上記２（１）訂正事項ａを参照）。
　
４．引用刊行物に記載された発明
　当審が通知した取消理由に引用した刊行物１（特開平４−２４９４７１号公報、異議申立人が提出した甲第３号証）には、ファクシミリ装置にに関し、図面と共に次の事項が記載されている。
（１）「【０００７】まず、データ読取部１４が送信用データを読み取り（ステップ２１）、データ記憶部１２にデータをバッファとして蓄える（ステップ２２）。そして、送受信制御部１３はデータを送信できる状態かどうかを回線接続部１５に回線接続処理を実行させて判断する（ステップ２３，２４，２５）。回線が接続できればデータ送信部１１はデータ記憶部１２に蓄えられたデータを送信する（ステップ２６，２７）。
【０００８】ステップ２５においてデータを送信できない状態にある（ＮＯ）場合は回線接続処理を一旦中止し、送受信制御装置１３は受信データがあるか否かを判断し（ステップ２８）、もしあればデータをデータ受信部１７で受信し（ステップ２９）、印字部１６では用紙に印字する。そして、データ受信が終了する（ステップ３０）と、再度回線接続部１５は回線接続処理を実行し（ステップ２４）、接続できればデータ記憶部１２に蓄えられたデータをデータ送信部１１によって送信する（ステップ２６）。ステップ２３においてデータ受信中でない場合は回線接続部１５は回線接続処理を実行し（ステップ２４）、接続できれば（ステップ２５でＹＥＳ）、データ記憶部１２に蓄えられたデータをデータ送信部１１によって送信する（ステップ２６）。」（１欄３２行〜２欄７行）。
　同じく引用した刊行物２（特開平６−２９１９５３号公報、異議申立人が提出した甲第１号証）には、ファクシミリ装置に関し、図面と共に次の事項が記載されている。
（２）「メモリ送信モードにおける送信時には、読取装置１５を駆動制御して原稿Ｇの画データを読取らせるとともに、その読取った画データを読取データ記憶領域１３ａに記憶させる。その後、被呼局との回線が接続されて画データが送信される。」（３欄８行〜同１２行）。
　同じく引用した刊行物３（特開平１−３０３８５５号公報、異議申立人が提出した甲第２号証）には、ファクシミリの発着信制御方式に関し、図面と共に次の事項が記載されている。
（３）「ファクシミリ装置からのダイヤル番号信号を受け取り、ダイヤル番号に所定の加工を施した後、電話回線に発呼するファクシミリの発着信制御方式において、発呼時、電話回線からの着呼を検出すると、電話回線からの着呼を優先して処理する」（２頁右上欄６行〜同１１行）。
（４）「このように、ファクシミリ装置１はダイヤル中継装置３がファクシミリ本体２からの発信指示に基づいて電話回線Ｌに発信動作を開始するまでの間に電話回線Ｌから着呼があると、受信処理を優先して行うことができ、受信を効率的に行うことができるとともに、相手オペレータの無駄な手間を省くことができる。」（３頁右下欄１４行〜同２０行）。
　
５．対比・判断
  本件請求項１に係る発明と刊行物１に記載された発明とを対比する。
（１）刊行物１に記載された発明は、データ読取部１４で読み取って得られる送信用データをバッファとしてのデータ記憶部１２に蓄積（記憶）してから送信するファクシミリ装置であり（上記４（１）の記載参照）、ファクシミリ装置は、本件請求項１に係る発明の通信装置の一例として記載されているものであるから、本件請求項１に係る発明と刊行物１に記載された発明とは、記憶手段がメモリ送信モードのためであるかバッファのためであるかでは相違するが、「送信原稿を読み取って得られた画像情報を記憶手段に記憶させてから送信する通信装置」であるという点で差異がない。
（２）本件請求項１に係る発明の「中断」は、読取中の送信原稿の全頁を全部読み取ってからの中断をも含むことは、本件明細書の段落【０００９】の記載から明らかであり、本件請求項１に係る発明をそのようなものとした場合、「送信原稿の読み取り開始から画像情報の送信までの間に他の通信装置からの発呼により通信回線を介して呼出信号が入力されれば」は、図２及びその説明の記載、特に、段落【００３１】の「モード３に設定されている場合は、呼出信号が入力されても、送信原稿の全ページを全部読み取ってしまうまでは読取および記憶処理を継続する。この間、呼出信号の有無の判断は行わないので、呼出信号が入力され続けることになる。もちろん、Ｓ８においては、送信原稿の全ページを全部読み取っているので（Ｓ８：ＹＥＳ）、送信処理に移行することになる。」という記載を参酌すると、送信原稿の全頁を読み取り、それにより得られる画像信号の記憶が終了した時点から送信するまでの間に呼出信号が入力されていることを意味すると解釈され、「画像情報の送信を行う前に前記他の通信装置からの送信信号を受信する」処理は、その間の呼出信号の入力を検出することにより行われ、その処理を行った後に送信原稿の読み取りは再開されることなく、送信処理が行われるものと認められる。そして、刊行物１に記載された発明も、その図２及びその説明から明らかなように、読み取って得られるデータをデータ記憶部１２に蓄えるという読取処理が終了した時点から送信するまでの間にデータを送信できる状態かどうかを回線接続処理の実行により判断し、送信できる状態の時には送信用データを送信し、送信できない状態の時には受信データがあればそのデータの受信を行い、その後に送信用データを送信するものである（上記４（１）の記載参照）から、本件請求項１に係る発明と刊行物１に記載された発明とは、「画像情報の送信時に、画像情報を送信できない状態であれば、前記送信原稿の読み取り動作を中断させて、画像情報の送信を行う前に前記他の通信装置からの送信信号を受信する」ものである点で差異がない。
　以上のことを踏まえると、本件請求項１に係る発明と刊行物１に記載された発明とは、
「送信原稿を読み取って得られた画像情報を記憶手段に記憶させてから送信する通信装置であって、
　画像情報の送信時に、画像情報を送信できない状態であれば、前記送信原稿の読み取り動作を中断させて、画像情報の送信を行う前に前記他の通信装置からの送信信号を受信することを特徴とする通信装置。」
である点で一致し、次の（１）及び（２）点で相違する。
（１）本件請求項１に係る発明は、「送信原稿を読み取って得られた画像情報を記憶手段に記憶させてから送信する、いわゆるメモリ送信モード」を備え、メモリ送信モード時に送信用画像情報と共に受信用画像情報が存在した場合にも送受信を支障なく行えるようにしようとするものであるのに対し、刊行物１に記載された発明は、記憶手段がバッファとしてのものであって、メモリ送信モードを備えず、したがって、メモリ送信モード時に送信用画像情報と共に受信用画像情報が存在した場合にも送受信を支障なく行えるようにしようとするものではなく、バッファとしての記憶手段に記憶された画像情報の送信時に送信用画像情報と共に受信用画像情報が存在した場合にも送受信を支障なく行えるようにしようとするものである点。
（２）「画像情報を送信できない状態」が、本件請求項１に係る発明は、「送信原稿の読み取り開始から画像情報の送信までの間に他の通信装置からの発呼により呼出信号が入力され」るというものであるのに対し、刊行物１に記載された発明は、「送信原稿の読み取り終了時に回線が接続できず、受信データがあ」るというものである点。
　まず、相違点（１）について検討すると、刊行物２に記載されているように、ファクシミリの技術分野においてメモリ送信モードは周知のものであり（上記４（２）の記載参照）、送信用画像情報と共に受信用画像情報が存在した場合に送受信に支障を来すという問題は、記憶手段がバッファのためであるかメモリ送信モードのためであるかに依らないことは、当業者に明らかなことであるから、刊行物１に記載された発明における記憶手段を、いわゆるメモリ送信モードのためのものとすること、すなわち、ファクシミリ装置が、送信原稿を読み取って得られた画像情報を記憶手段に記憶させてから送信する、いわゆるメモリ送信モードを備えるようにすること、そして、送信用画像情報と共に受信用画像情報が存在した場合の送受信の問題を、特にメモリ送信モード時におけるものとすることは、当業者が容易に想到し得ることである。
　次に、相違点（２）について検討すると、画像情報を送信できない状態の判断について、刊行物１には、「データを送信できる状態かどうかを回線接続部１５に回線接続処理を実行させて判断する（ステップ２３，２４，２５）」、「ステップ２５においてデータを送信できない状態にある（ＮＯ）場合は回線接続処理を一旦中止し、送受信制御装置１３は受信データがあるか否かを判断し（ステップ２８）、もしあればデータをデータをデータ受信部１７で受信し（ステップ２９）、印字部１６では用紙に印刷する。」と記載されているのみで、それ以上の具体的内容は記載されていないが、刊行物３に記載されているように、ファクシミリ装置において、発信と着信が衝突した時に発信と着信の双方が無効にされるという問題点にかんがみ、発呼時に電話回線からの着呼を検出するとその着呼を優先させることが公知である（上記４（３）および４（４）の記載参照）から、刊行物１に記載された発明における画像情報を送信できない状態の判断の具体的内容を、「送信原稿の読み取り開始から画像情報の送信までの間に他の通信装置からの発呼により呼出信号が入力されれば」（なお、これが「送信原稿の全頁を全部読み取り、それにより得られる画像信号の記憶が終了した時点から送信するまでの間に呼出信号が入力されていれば」というふうにも解釈されることは前述した。）というものにすることは、当業者が容易に想到し得ることである。
　さらに、本件請求項１に係る発明によってもたらされる効果も、刊行物１乃至３に記載された発明から当業者ならば容易に予測することができる程度のものであって、格別のものとはいえない。
　
６．むすび
　以上のとおりであるから、本件請求項１に係る発明は、刊行物１乃至３に記載された発明に基いて当業者が容易に発明をすることができたものであるから、本件請求項１に係る発明についての特許は特許法第２９条第２項の規定に違反してされたものである。
　したがって、本件請求項１に係る発明についての特許は、特許法第１１３条第２号に該当し、取り消されるべきものである。
　よって、結論のとおり決定する。
【異議決定日】
平成１３年５月２８日（２００１．５．２８）
【訂正の要旨】
　訂正の要旨
　訂正事項ａ
　特許請求の範囲の減縮を目的として、特許請求の範囲における請求項１の記載を以下のように訂正する。
「　【請求項１】
　送信原稿を読み取って得られた画像情報を記憶手段に記憶させてから送信するという、いわゆるメモリ送信モードを備えた通信装置であって、
　前記メモリ送信モード時に、送信原稿の読み取り開始から画像情報の送信までの間に他の通信装置からの発呼により通信回線を介して呼出信号が入力されれば、
前記送信原稿の読み取り動作を中断させて、
　訂正事項ｂ
　明りょうでない記載の釈明を目的として、上記特許請求の範囲の訂正（訂正事項ａ）に伴い、特許明細書の段落【０００７】における記載を、以下の通り訂正する。
「　【課題を解決するための手段】
　上記目的を達成するため、請求項１に記載した発明の通信装置は、送信原稿を読み取って得られた画像情報を記憶手段に記憶させてから送信するという、いわゆるメモリ送信モードを備えた通信装置であって、メモリ送信モード時に、送信原稿の読み取り開始から画像情報の送信までの間に他の通信装置からの発呼により通信回線を介して呼出信号が入力されれば、
前記送信原稿の読み取り動作を中断させて、
（５４）【発明の名称】
通信装置
（５７）【特許請求の範囲】
　【請求項１】　送信原稿を読み取って得られた画像情報を記憶手段に記憶させてから送信するという、いわゆるメモリ送信モードを備えた通信装置であって、
　前記メモリ送信モード時に、送信原稿の読み取り開始から画像情報の送信までの間に他の通信装置からの発呼により通信回線を介して呼出信号が入力されれば、
前記送信原稿の読み取り動作を中断させて、
　【請求項２】　送信原稿を読み取る読取手段と、この読取手段により得られた画像情報を記憶する記憶手段と、この記憶手段に記憶された画像情報を送信する送信手段とを有し、前記送信原稿を前記読取手段により読み取って得られた画像情報を前記記憶手段に記憶させてから前記送信手段により送信するという、いわゆるメモリ送信モードを備えた通信装置であって、
　他の通信装置からの発呼により通信回線を介して呼出信号が入力されたことを検出する呼出信号検出手段と、
　前記他の通信装置からの送信信号を受信する受信手段と、
　前記メモリ送信モード時に、送信原稿の読み取り開始から画像情報の送信までの間に前記呼出信号検出手段により呼出信号が検出されれば、前記読取手段による読取動作を現在読取中の行の読取が終了した時点で停止させて、その後に前記受信手段に前記他の通信装置からの送信信号を受信させる送受信制御手段とを設けたことを特徴とする通信装置。
　【請求項３】　送信原稿を読み取る読取手段と、この読取手段により得られた画像情報を記憶する記憶手段と、この記憶手段に記憶された画像情報を送信する送信手段とを有し、前記送信原稿を前記読取手段により読み取って得られた画像情報を前記記憶手段に記憶させてから前記送信手段により送信するという、いわゆるメモリ送信モードを備えた通信装置であって、
　他の通信装置からの発呼により通信回線を介して呼出信号が入力されたことを検出する呼出信号検出手段と、
　前記他の通信装置からの送信信号を受信する受信手段と、
　前記メモリ送信モード時に、送信原稿の読み取り開始から画像情報の送信までの間に前記呼出信号検出手段により呼出信号が検出されれば、前記読取手段による読取動作を現在読取中の頁の読取が終了した時点で停止させて、その後に前記受信手段に前記他の通信装置からの送信信号を受信させる送受信制御手段とを設けたことを特徴とする通信装置。
　【請求項４】　送信原稿を読み取る読取手段と、この読取手段により得られた画像情報を記憶する記憶手段と、この記憶手段に記憶された画像情報を送信する送信手段とを有し、前記送信原稿を前記読取手段により読み取って得られた画像情報を前記記憶手段に記憶させてから前記送信手段により送信するという、いわゆるメモリ送信モードを備えた通信装置であって、
　他の通信装置からの発呼により通信回線を介して呼出信号が入力されたことを検出する呼出信号検出手段と、
　前記他の通信装置からの送信信号を受信する受信手段と、
前記メモリ送信モード時に、送信原稿の読み取り開始から画像情報の送信までの間に前記呼出信号検出手段により呼出信号が検出されれば、前記読取手段による読取動作を現在読取中の前記送信原稿の全頁の読取が終了した時点で停止させて、その後に前記受信手段に前記他の通信装置からの送信信号を受信させる送受信制御手段とを設けたことを特徴とする通信装置。
　【請求項５】　送信原稿を読み取る読取手段と、この読取手段により得られた画像情報を記憶する記憶手段と、この記憶手段に記憶された画像情報を送信する送信手段とを有し、前記送信原稿を前記読取手段により読み取って得られた画像情報を前記記憶手段に記憶させてから前記送信手段により送信するという、いわゆるメモリ送信モードを備えた通信装置であって、
　他の通信装置からの発呼により通信回線を介して呼出信号が入力されたことを検出する呼出信号検出手段と、
　前記他の通信装置からの送信信号を受信する受信手段と、
　前記メモリ送信モード時に、送信原稿の読み取り開始から画像情報の送信までの間に前記呼出信号検出手段により呼出信号が検出されれば、前記読取手段による読取動作を停止させて、その後に前記受信手段に前記他の通信装置からの送信信号を受信させる送受信制御手段とを設け、
　前記送受信制御手段は、前記読取手段による読取動作を、現在読取中の行の読取が終了した時点で停止させる状態と、現在読取中の頁の読取が終了した時点で停止させる状態と、現在読取中の前記送信原稿の全頁の読取が終了した時点で停止させる状態との３つの状態のうち、少なくとも２つの状態相互間で使用者の操作に基づく操作信号に応じて切り替わる構成としたことを特徴とする通信装置。
【発明の詳細な説明】
　【０００１】
　【発明の属する技術分野】
　本発明は、送信原稿を読み取って得られた画像情報を記憶手段に記憶させてから送信するという、いわゆるメモリ送信モードを備えた通信装置に関するものである。
　【０００２】
　【従来の技術】
　送信原稿を読み取って得られた画像情報を記憶手段に記憶させてから送信するという、いわゆるメモリ送信モードを備えた通信装置の一例として、たとえばファクシミリ装置が考えられる。
　【０００３】
　従来のファクシミリ装置は、メモリ送信モード時に、送信原稿の読み取りを始めるまでは他のファクシミリ装置などからの発呼に基づく呼出信号を受け付ける状態であるが、送信原稿の読み取りを始めるときには他のファクシミリ装置などからの発呼に基づく呼出信号を受け付けない状態に変化する構成であった。
　【０００４】
　【発明が解決しようとする課題】
　しかしながら、従来のファクシミリ装置では、送信原稿の読取中に他のファクシミリ装置などから発呼されるという事態を想定しておらず、送信原稿の読取が終了して記憶手段に記憶した画像情報を送信すべく回線を閉結させたときに、他のファクシミリ装置などからの発呼が継続している場合、メモリ送信と他のファクシミリ装置などからの送信信号の受信との双方が共に未完成の状態で終了してしまうという課題があった。
　【０００５】
　なお、一部のファクシミリ装置では、送信と受信との双方を同時に処理する機能を備えたものも存在しているが、このようなものでは高性能なＣＰＵを用いて時分割処理を行うなどの方法が採られており、高価なＣＰＵが必要なため、製造コストが高価であった。
　【０００６】
　本発明は上記の点に鑑みて提案されたものであって、メモリ送信モード時に、他のファクシミリ装置などからの発呼に基づく呼出信号の入力があった場合、メモリ送信と他のファクシミリ装置などからの送信信号の受信との双方を支障なく行え、しかも製造コストを上昇させることのない通信装置を提供することを目的としている。
　【０００７】
　【課題を解決するための手段】
　上記目的を達成するため、請求項１に記載した発明の通信装置は、送信原稿を読み取って得られた画像情報を記憶手段に記憶させてから送信するという、いわゆるメモリ送信モードを備えた通信装置であって、メモリ送信モード時に、送信原稿の読み取り開始から画像情報の送信までの間に他の通信装置からの発呼により通信回線を介して呼出信号が入力されれば、
前記送信原稿の読み取り動作を中断させて、
　【０００８】
　この通信装置によれば、送信原稿の読み取り開始から画像情報の送信までの間に他の通信装置からの発呼により通信回線を介して呼出信号が入力されたときに、送信原稿の読み取りを適当な時期に中断し、他の通信装置からの送信信号を受信して、その処理を行った後に、送信原稿の読み取りを再開するので、メモリ送信と他のファクシミリ装置などからの送信信号の受信との双方を支障なく行える。しかも、送信と受信とを同時に行う必要がないので、高性能なＣＰＵが不要であることから、製造コストの上昇がない。
　【０００９】
　通信装置としては、ファクシミリ装置に限らず、モデムを備えた複写機やパーソナルコンピュータなど、各種の電子機器が考えられる。記憶手段としては、ＲＡＭ、ＥＥＰＲＯＭ、ハードディスクなど、各種の情報記憶媒体が考えられる。通信回線は、有線であっても無線であってもよく、また公衆回線であっても専用回線であってもよい。送信原稿の読み取りの中断時期は、たとえば、読取中の行を全部読み取ってからでもよいし、読取中の頁を全部読み取ってからでもよいし、読取中の送信原稿の全頁を全部読み取ってからでもよい。
　【００１０】
　また、請求項２に記載した発明の通信装置は、送信原稿を読み取る読取手段と、この読取手段により得られた画像情報を記憶する記憶手段と、この記憶手段に記憶された画像情報を送信する送信手段とを有し、送信原稿を読取手段により読み取って得られた画像情報を記憶手段に記憶させてから送信手段により送信するという、いわゆるメモリ送信モードを備えた通信装置であって、他の通信装置からの発呼により通信回線を介して呼出信号が入力されたことを検出する呼出信号検出手段と、他の通信装置からの送信信号を受信する受信手段と、メモリ送信モード時に、送信原稿の読み取り開始から画像情報の送信までの間に呼出信号検出手段により呼出信号が検出されれば、読取手段による読取動作を現在読取中の行の読取が終了した時点で停止させて、受信手段に他の通信装置からの送信信号を受信させる送受信制御手段とを設けたものである。
　【００１１】
　この通信装置によれば、読取手段による読取動作を現在読取中の行の読取が終了した時点で停止させるので、他の通信装置を待たせることなくすぐに送信信号を受信できる。
　【００１２】
　更に、請求項３に記載した発明の通信装置は、送信原稿を読み取る読取手段と、この読取手段により得られた画像情報を記憶する記憶手段と、この記憶手段に記憶された画像情報を送信する送信手段とを有し、送信原稿を読取手段により読み取って得られた画像情報を記憶手段に記憶させてから送信手段により送信するという、いわゆるメモリ送信モードを備えた通信装置であって、他の通信装置からの発呼により通信回線を介して呼出信号が入力されたことを検出する呼出信号検出手段と、他の通信装置からの送信信号を受信する受信手段と、メモリ送信モード時に、送信原稿の読み取り開始から画像情報の送信までの間に呼出信号検出手段により呼出信号が検出されれば、読取手段による読取動作を現在読取中の頁の読取が終了した時点で停止させて、その後に受信手段に他の通信装置からの送信信号を受信させる送受信制御手段とを設けたものである。
　【００１３】
　この通信装置によれば、読取手段による読取動作を現在読取中の頁の読取が終了した時点で停止させるので、他の通信装置を長時間待たせることなく比較的早期に送信信号を受信できる。また、読取動作を頁の途中で中断させないので、受信終了後の読取動作再開時における読取開始位置の位置ずれなどを生じることがない。
　【００１４】
　また、請求項４に記載した発明の通信装置は、送信原稿を読み取る読取手段と、この読取手段により得られた画像情報を記憶する記憶手段と、この記憶手段に記憶された画像情報を送信する送信手段とを有し、送信原稿を読取手段により読み取って得られた画像情報を記憶手段に記憶させてから送信手段により送信するという、いわゆるメモリ送信モードを備えた通信装置であって、他の通信装置からの発呼により通信回線を介して呼出信号が入力されたことを検出する呼出信号検出手段と、他の通信装置からの送信信号を受信する受信手段と、メモリ送信モード時に、送信原稿の読み取り開始から画像情報の送信までの間に呼出信号検出手段により呼出信号が検出されれば、読取手段による読取動作を現在読取中の送信原稿の全頁の読取が終了した時点で停止させて、その後に受信手段に他の通信装置からの送信信号を受信させる送受信制御手段とを設けたものである。
　【００１５】
　この通信装置によれば、読取手段による読取動作を現在読取中の送信原稿の全頁の読取が終了した時点で停止させるので、使用者が送信原稿をすぐに持ち帰ることができる。
　【００１６】
　更に、請求項５に記載した発明の通信装置は、送信原稿を読み取る読取手段と、この読取手段により得られた画像情報を記憶する記憶手段と、この記憶手段に記憶された画像情報を送信する送信手段とを有し、送信原稿を読取手段により読み取って得られた画像情報を記憶手段に記憶させてから送信手段により送信するという、いわゆるメモリ送信モードを備えた通信装置であって、他の通信装置からの発呼により通信回線を介して呼出信号が入力されたことを検出する呼出信号検出手段と、他の通信装置からの送信信号を受信する受信手段と、メモリ送信モード時に、送信原稿の読み取り開始から画像情報の送信までの間に呼出信号検出手段により呼出信号が検出されれば、読取手段による読取動作を停止させて、その後に受信手段に他の通信装置からの送信信号を受信させる送受信制御手段とを設け、送受信制御手段は、読取手段による読取動作を、呼出信号検出手段により呼出信号が検出されたときに即座に停止させる状態と、現在読取中の頁の読取が終了した時点で停止させる状態と、現在読取中の送信原稿の全頁の読取が終了した時点で停止させる状態との３つの状態のうち、少なくとも２つの状態相互間で使用者の操作に基づく操作信号に応じて切り替わる構成としている。
　【００１７】
　この通信装置によれば、使用者が読取手段による読取動作を停止させる時期を任意に選択できるので、使い勝手が向上する。
　【００１８】
　【発明の実施の形態】
　以下、本発明の好ましい実施の形態を、図面を参照しつつ具体的に説明する。
　【００１９】
　図１は、本発明に係る通信装置の一例としてのファクシミリ装置の要部の回路ブロック図であって、このファクシミリ装置は、ＣＰＵ１、ＮＣＵ２、ＲＡＭ３、モデム４、ＲＯＭ５、ＥＥＰＲＯＭ６、ゲートアレイ７、コーデック８、ＤＭＡＣ９、読取部１１、記録部１２、操作部１３、表示部１４などを備えている。ＣＰＵ１、ＮＣＵ２、ＲＡＭ３、モデム４、ＲＯＭ５、ＥＥＰＲＯＭ６、ゲートアレイ７、コーデック８、およびＤＭＡＣ９は、バス線により相互に接続されており、ゲートアレイ７には、読取部１１、記録部１２、操作部１３、および表示部１４が接続されている。ＮＣＵ２はモデム４および電話回線２１に接続されている。
　【００２０】
　ＣＰＵ１は、ファクシミリ装置全体を制御する。ＮＣＵ２は、電話回線２１に接続されて網制御を行う。ＲＡＭ３は、画像情報や音声情報などの各種のディジタルデータを記憶する。モデム４は、送信データの変調や受信データの復調などを行う。ＲＯＭ５は、各種のプログラムやデータなどを記憶している。ＥＥＰＲＯＭ６は、各種の登録データやフラグなどを記憶している。ゲートアレイ７は、ＣＰＵ１の入出力インターフェイスとして機能する。読取部１１は、光源やＣＣＤセンサや原稿送りモータなどを備えており、原稿を読み取って画像信号を出力する。記録部１２は、インクジェットプリンタあるいは熱転写プリンタなどを備えており、画像データに基づいて、記録紙上に画像を記録する。操作部１３は、キースイッチ群などからなり、使用者の操作に応じた操作信号を出力する。表示部１４は、ＬＣＤなどからなり、ＣＰＵ１により制御されて各種の表示を行う。
　【００２１】
　すなわち、読取部１１は、送信原稿を読み取る読取手段を構成している。ＲＡＭ３の一部である送信画像情報記憶領域は、読取部１１により得られた画像情報を記憶する記憶手段を構成している。ＮＣＵ２およびモデム４は、ＲＡＭ３の送信画像情報記憶領域に記憶された画像情報を送信する送信手段を構成している。ＣＰＵ１およびＮＣＵ２は、他の通信装置からの発呼により電話回線２１を介して呼出信号が入力されたことを検出する呼出信号検出手段を構成している。ＮＣＵ２およびモデム４は、他の通信装置からの送信信号を受信する受信手段を構成している。ＣＰＵ１は、メモリ送信モード時に、送信原稿の読み取り開始から画像情報の送信までの間に呼出信号検出手段により呼出信号が検出されれば、読取部１１による読取動作を停止させて、その後に受信手段に他の通信装置からの送信信号を受信させる送受信制御手段を構成している。
　【００２２】
　次に、このように構成されたファクシミリ装置のメモリ送信処理の手順について、図２に示すフローチャートを参照しながら説明する。
　【００２３】
　先ず、送信原稿の読取および記憶を開始する（Ｓ１）。具体的には、ＣＰＵ１が、読取部１１を制御して送信原稿を読み取らせる。これにより読取部１１から送信原稿の画像に応じた画像信号が出力され、その画像信号がゲートアレイ７によりディジタル信号に変換され、さらにコーデック８により符号化されてＲＡＭ３の送信画像情報格納領域に格納される。次にＣＰＵ１が、１行の読取および記憶が終了したか否かを判断する（Ｓ２）。１行の読取および記憶が終了していれば（Ｓ２：ＹＥＳ）、ＣＰＵ１が、モードが１であるか否かを判断する（Ｓ３）。このモードとは、使用者による操作部１３の操作で設定されたものであって、モード１〜モード３の３種類のモードを任意に設定可能である。すなわち、モード１は、電話回線２１から呼出信号が入力されたときに、送信原稿の読取動作を、現在読取中の行の読取が終了した時点で停止させるモードであり、モード２は、現在読取中の頁の読取が終了した時点で停止させるモードであって、モード３は、現在読取中の送信原稿の全頁の読取が終了した時点で停止させるモードである。
　【００２４】
　モードが１であれば（Ｓ３：ＹＥＳ）、ＣＰＵ１が、ＮＣＵ２からの信号により電話回線２１を介して呼出信号が入力されているか否かを判断する（Ｓ４）。呼出信号が入力されていれば（Ｓ４：ＹＥＳ）、ＣＰＵ１が、読取部１１による送信原稿の読取を一旦停止させ（Ｓ５）、受信処理を行う（Ｓ６）。この受信処理については、周知であるので説明を省略するが、受信画像情報は、ＲＡＭ３の受信画像情報格納領域に格納されるか、あるいは記録部１２により記録用紙上に印刷される。次にＣＰＵ１が、受信が終了したか否かを判断する（Ｓ７）。受信が終了していれば（Ｓ７：ＹＥＳ）、ＣＰＵ１が、送信原稿の全頁の読取が終了しているか否かを判断する（Ｓ８）。読取が終了していれば（Ｓ８：ＹＥＳ）、ＣＰＵ１が、ＲＡＭ３の送信画像情報記憶領域に格納された送信画像情報の送信処理を行う（Ｓ９）。すなわち、ＲＡＭ３の送信画像情報記憶領域から読み出された符号化された送信画像データは、モデム４により変調され、ＮＣＵ２を介して電話回線２１に送出される。次にＣＰＵ１が、送信が終了したか否かを判断し（Ｓ１０）、終了していれば（Ｓ１０：ＹＥＳ）、このルーチンを終了する。
　【００２５】
　Ｓ１０において、送信原稿の送信が終了していなければ（Ｓ１０：ＮＯ）、Ｓ９に戻って送信を継続する。
　【００２６】
　Ｓ８において、送信原稿の全頁の読取が終了していなければ（Ｓ８：ＮＯ）、Ｓ１に戻って送信原稿の次行の読取および記憶を継続する。
　【００２７】
　Ｓ７において、他の通信装置などからの受信が終了していなければ（Ｓ７：ＮＯ）、Ｓ６に戻って受信を継続する。
　【００２８】
　Ｓ４において、呼出信号が入力されていなければ（Ｓ４：ＮＯ）、読取を中断する必要がないので、Ｓ８に進んで以降の処理を継続する。
　【００２９】
　Ｓ３において、設定されているモードの種類がモード１でなければ（Ｓ３：ＮＯ）、ＣＰＵ１が、設定されているモードの種類がモード２であるか否かを判断する（Ｓ１１）。モード２であれば（Ｓ１１：ＹＥＳ）、ＣＰＵ１が、１ページ分の読取が終了したか否かを判断する（Ｓ１２）。１ページ分の読取が終了していれば（Ｓ１２：ＹＥＳ）、Ｓ４に進んで呼出信号の有無の判断以降の処理を実行する。すなわち、モード２に設定されている場合は、呼出信号が入力されても、現在読取中の頁を読み取ってしまうまでは読取および記憶処理を継続する。この間、呼出信号の有無の判断は行わないので、呼出信号が入力され続けることになる。
　【００３０】
　Ｓ１２において、１ページ分の読取が終了していなければ（Ｓ１２：ＮＯ）、Ｓ１に戻って次行の読取および記憶を継続する。
　【００３１】
　Ｓ１１において、モード２に設定されていなければ（Ｓ１１：ＮＯ）、モード３に設定されているということなので、ＣＰＵ１が、送信原稿の全ページを全部読み取ったか否かを判断する（Ｓ１３）。送信原稿の全ページを全部読み取っていれば（Ｓ１３：ＹＥＳ）、Ｓ４に進んで呼出信号の有無の判断以降の処理を実行する。すなわち、モード３に設定されている場合は、呼出信号が入力されても、送信原稿の全ページを全部読み取ってしまうまでは読取および記憶処理を継続する。この間、呼出信号の有無の判断は行わないので、呼出信号が入力され続けることになる。もちろん、Ｓ８においては、送信原稿の全ページを全部読み取っているので（Ｓ８：ＹＥＳ）、送信処理に移行することになる。
　【００３２】
　Ｓ１３において、送信原稿の全ページの読取が終了していなければ（Ｓ１３：ＮＯ）、Ｓ１に戻って次行の読取および記憶を継続する。
　【００３３】
　なお、上記実施形態では、モード１〜モード３を使用者が任意に選択できるようにしたが、モードをいずれかに固定して選択できないようにするか、あるいは、いずれか２つのモードを使用者が任意に選択できるようにしてもよい。さらには、呼出信号の入力により、行の途中で読み取りを中断させてもよい。
　【００３４】
　【発明の効果】
　以上説明したように請求項１に記載した発明の通信装置によれば、送信原稿の読み取り開始から画像情報の送信までの間に他の通信装置からの発呼により通信回線を介して呼出信号が入力されたときに、送信原稿の読み取りを適当な時期に中断し、他の通信装置からの送信信号を受信して、その処理を行った後に、送信原稿の読み取りを再開するので、メモリ送信と他のファクシミリ装置などからの送信信号の受信との双方を支障なく行える。しかも、送信と受信とを同時に行う必要がないので、高性能なＣＰＵが不要であることから、製造コストの上昇がない。
　【００３５】
　また、請求項２に記載した発明の通信装置によれば、請求項１記載の通信装置による効果に加えて、読取手段による読取動作を現在読取中の行の読取が終了した時点で停止させるので、他の通信装置を待たせることなくすぐに送信信号を受信できる。
　【００３６】
　更に、請求項３に記載した発明の通信装置によれば、請求項１記載の通信装置による効果に加えて、読取手段による読取動作を現在読取中の頁の読取が終了した時点で停止させるので、他の通信装置を長時間待たせることなく比較的早期に送信信号を受信できる。また、読取動作を頁の途中で中断させないので、受信終了後の読取動作再開時における読取開始位置の位置ずれなどを生じることがない。
　【００３７】
　また、請求項４に記載した発明の通信装置によれば、請求項１記載の通信装置による効果に加えて、読取手段による読取動作を現在読取中の送信原稿の全頁の読取が終了した時点で停止させるので、使用者が送信原稿をすぐに持ち帰ることができる。
　【００３８】
　更に、請求項５に記載した発明の通信装置によれば、請求項１ないし請求項４のいずれかに記載の通信装置による効果に加えて、使用者が読取手段による読取動作を停止させる時期を任意に選択できるので、使い勝手が向上する。
【図面の簡単な説明】
　【図１】
　本発明に係る通信装置の一例としてのファクシミリ装置の要部の回路ブロック図である。
　【図２】
　図１に示すファクシミリ装置のメモリ送信処理の手順を説明するフローチャートである。
　【符号の説明】
１　ＣＰＵ
２　ＮＣＵ
３　ＲＡＭ
４　モデム
１１　読取部
１２　記録部
１３　操作部
２１　電話回線